(57)【要約】      （修正有）【課題】骨折等患部の固定装具に関し、その構造がシンプルで、取り扱いが簡便で、その症状に対処できる固定装具を提供する。【解決手段】骨折等患部の固定装具において、患部を固定するギプス材２と、そのギプス材の位置を保持するサポーター１とを含み、前記サポーターは、サポーター本体部３と、サポーター本体を人体に固定する固定部６からなり、サポーター本体部と固定部の間にギプス材を配置し組合せたことを特徴とする固定装具。【選択図】図１
0003233530.tif 000002
【実用新案登録請求の範囲】
【請求項１】
骨折等患部の固定装具において、
患部を固定するギプス材と、そのギプス材の位置を保持するサポーターとを含み、前記サポーターは、サポーター本体部と、サポーター本体を人体に固定する固定部からなり、
サポーター本体部の外側表面にギプス材を装着する構造を特徴とする固定装具。
【請求項２】
請求項１に記載の固定装具において、サポーター本体部の外側表面にギプス材を脱着可能に装着する構造を特徴とする固定装具。
【考案の詳細な説明】
【技術分野】
【０００１】      本考案は、整形外科における骨折等患部の固定装具に関し、特に、ギプス材をサポーターに設置する手首足首等の関節固定装具に関する。
【背景技術】
【０００２】      従来の骨折捻挫等の固定においては、患部を石こう等によるギプスを包帯で巻き付け固定し、更にその外側をサポーターで覆うような固定装具や、サポーターの内側にギプスを内包したものを患部に当てがう固定装具などが用いられている。これらの装具では、サポーターの構造が複雑であり、部品点数も多い。結果として固定装具の製作工数も多く、コストが高くなる。また取り扱いにも工数を要する。
更に、サポーターの内側の袋にギプスを設置する固定装具の場合、袋の位置によってギプスの設置位置が制限されるため、ギプスを設置できる範囲は比較的限定的なものにならざるを得ないものであった。
【先行技術文献】
【特許文献】
【０００３】
【特許文献１】特許登録第６０５３７６９号  公報
【特許文献２】特開２０１９−１０２４６号  公報
【考案の概要】
【考案が解決しようとする課題】
【０００４】      骨折等患部の固定装具に関し、その構造がシンプルで、取り扱いが簡便で、その症状に対処できる固定装具を提供する。
【課題を解決するための手段】
【０００５】      骨折等患部の固定装具において、患部を固定するギプス材と、そのギプス材の位置を保持するサポーターとを含み、前記サポーターは、サポーター本体部と、サポーター本体を人体に固定する固定部からなり、サポーター本体部の外側表面にギプス材を装着する構造を特徴とする固定装具。
【考案の効果】
【０００６】      本考案の固定装具における構成部品はギプス材とサポーターの１セットであり、実施例のように構造はシンプルで、取り扱いも簡便である。ギプス材はサポーターの全表面の広い範囲に設置が可能である。
【図面の簡単な説明】
【０００７】
【図１】本考案のサポーターとギプス材の斜視図（写真）
【図２】本考案のサポーター本体の展開外側模式図
【図３】本考案のサポーター本体の展開内側模式図
【図４】本考案のギプス材概略図
【図５】本考案のギプス材の構成部品の模式図
【図６】本考案のサポーター本体の位置決め図（写真）
【図７】本考案のサポーター本体外側面の掌側へのギプス材設置図（写真）
【図８】本考案のサポーター本体外側面の甲側へのギプス材設置図（写真）
【図９】本考案の固定装具の掌側取付け状態図（写真）
【図１０】本考案の固定装具の甲側取付け状態図（写真）
【考案を実施するための形態】
【０００８】本考案では、先ず、患部にサポーターを設置し、その本体外側表面上にギプス材を設置して、患部が正肢位になるように該ギプス材を成形し、成形中及び成形後のギプス材を患部に適当な緊度で固定することができるように固定ベルトをサポーターに設けている。この方式を実現するために、サポーターを次の形態にしている。イ）サポーター本体を伸縮性のある生地を略矩形に成形し、その一対辺をより伸縮性のあるゴム紐材で繋ないで筒状にしている。これによって、その筒状のサポーター本体に手首や足首などの患部肢位を挿入させることができて容易にサポーター本体を肢位に設置できるとともに、サポーター本体が肢位にジャストフィットするようしている。ロ）サポーター本体に、その経方向の位置を決める固定部を設けている。ハ）経方向位置決め固定部近傍のサポーター本体部に伸縮性のある固定ベルトの一端を縫合し、この固定ベルトでサポーター本体の外側表面上に設置したギプス材をサポーター本体に螺旋状に巻き付け、巻き終わりの固定ベルトの他端をサポーター本体及び固定ベルト自身に位置自在に締結できるようにしている。これによって、ギプス材の良肢位成形及び固定が容易にできるだけでなく、成形後のギプス材を適切な力で均一に保持できるようにしている。そして、二）ギプス材が良肢位成形時や固定ベルトの巻き付け時に、補材を用いなくても脱落しないように、ギプス材とサポーター本体に脱着機能を付加している。
【実施例】
【０００９】以下、添付図面に従って実施例を説明する。
まず、本実施形態に係る手首関節患部の固定装具の構成について説明する。
なお、本実施例は右側手首関節に関するものである。左側は対称につき省略する。
図１は、サポーター１とギプス材２の斜視図（写真）である。
符号３はサポーター本体、符号４はサポーター本体を略円筒形状にする連結部、符号５はサポーター本体の位置決め部、符号６はサポーター本体３とギプス材２を人体に固定する固定部である。
図２は、サポーター本体３の連結部４を切断して開いた状態のサポーター本体の外側面を示す模式図である。
図３は、サポーター本体３の連結部４を切断して開いた状態のサポーター本体の内側面を示す模式図である。
図４はギプス材２の概略図、図５はギプス材２の構成部品を示す模式図である。
以下に、各部について詳細に説明する。【００１０】図２、図３に示すように、サポーター本体３は平面形状が略矩形で、符号３０は伸縮性、通気性、クッション性を有するポリエステルのダブルラッセル生地である。装着時に肢位と接する内側表面は皮膚への当たりを和らげるために細かい編み目をしており、その反対の外側表面は通気性を配慮しハニカム状のやや大きめの編み目をしている。
図２に示す符号３１は表面が起毛したナイロンフレンチパイル材でサポーター本体３の略全面に縞状に縫合している。
連結部４は伸縮性のあるゴム紐を用いている。
位置決め部５はサポーター本体３の手先側にあり、その内側面に、図３に示す面ファスナー５５を有している。【００１１】図２に示すように、固定部６は伸縮性を有するバンドで、サポーター本体３の母指関節付近からやや経方向に伸びるように前腕方向に角度α（約４０度）をつけて、その一端をサポーター本体３に縫合している。図２の符号６６は固定バンド６の外側表面を指し、起毛している。図３の符号６７は固定バンド６の内側表面を指し、起毛はなく、先端に面ファスナー６８が縫合されている。【００１２】図４は本考案における矩形状のギプス材２の概略図である。図５にその構成部品を示す。符号２３は、再成形可能な熱可塑性のギプス素材２４を複数枚重ね合わせて縫合し一体化したものである。符号２１と２２のそれぞれの縁を縫合して袋にし、その袋に２３を入れている。
符号２２は面ファスナーを用いている。一方符号２１は、手の甲側に設置するギプス材２には起毛されたナイロンパイル生地を用い、手の掌側に設置するギプス材２には防滑性生地を用いている。【００１３】次に、本実施形態に係る右手首関節患部の固定装具の装着手順について、図６から図１０を参照しながら説明する。【００１４】始めに、手の甲側及び掌側に設置する２枚のギプス材２を約７０度以上のお湯に浸して適度に軟化させておく。
図６に示すように、サポーター本体３に右手首患部を挿入し、右親指と右人差指の間に位置決めバンド５を通し、同面ファスナー５５をサポーター本体３の外側の起毛表面３１に固定し、同サポーター本体３の経方向の位置を決める。
図７に白枠で示すように、予め軟化させた手の掌側用ギプス材２の面ファスナー面２２をサポーター本体３の患部に相対する手の掌側外面３１に固定する。
図８に白枠で示すように、同じく予め軟化させた手の甲側用ギプス材２の面ファスナー面２２をサポーター本体３の患部に相対する手の甲側外面３１に固定する。
このように手の甲側と掌側に設置したギプス材２を良肢位に医師が保持し、ギプス材２を良肢位形状に成形する。成形完了後、サポーター本体３のギプス材２の位置を維持するように固定バンド６をギプス材２の上から適度に締めながら、螺旋状に経方向に巻き上げ、固定バンド６の一端の面ファスナー６８をサポーター本体３のフレンチパイル表面３１と固定バンド６自身の起毛表面６６に固定する。
図９と図１０は、本実施形態に係る固定装具の装着状態を示す写真である。【００１５】      なお、当実施例ではギプス材２をサポーター本体３に脱着可能に装着すべく、ギプス材の符号２２に面ファスナーを用い、サポーター本体３の外側表面に符号３１の表面を起毛したナイロンフレンチパイル材を用いたが、他の実施例として、前述の面ファイスナーやナイロンフレンチパイル材を省き、接着テープなどの補材を用いてギプス材２をサポーター本体３に装着することも可能である。
【符号の説明】
【００１６】１    サポーター
２    ギプス材
３    サポーター本体
４    サポーター本体の連結部
５    サポーター本体の位置決め部
６    サポーターの固定部
２１  起毛ナイロンパイル生地又は防滑性生地
２２、５５、６８    面ファスナー
２４  ギプス素材
３０  サポーター本体の生地
３１  フレンチパイル材
６６  起毛表面
【図１】
0003233530.tif 000003
【図２】
0003233530.tif 000004
【図３】
0003233530.tif 000005
【図４】
0003233530.tif 000006
【図５】
0003233530.tif 000007
【図６】
0003233530.tif 000008
【図７】
0003233530.tif 000009
【図８】
0003233530.tif 000010
【図９】
0003233530.tif 000011
【図１０】
0003233530.tif 000012
【手続補正書】
【提出日】令和3年4月27日(2021.4.27)
【手続補正１】
【補正対象書類名】実用新案登録請求の範囲
【補正対象項目名】全文
【補正方法】変更
【補正の内容】
【実用新案登録請求の範囲】
【請求項１】
骨折等患部の固定装具であって、患部を固定するギプス材と、そのギプス材の位置を保持するサポーターとを含み、前記サポーターは、サポーター本体部と、サポーター本体部を人体に固定する固定部からなり、該本体部と該固定部の間にギプス材を配置し組合せたことを特徴とする固定装具。
【請求項２】
請求項１に記載の固定装具において、サポーター本体部の表面のすくなくとも一部がフレンチパイル生地で、ギプス材の表面のすくなくとも一部が面ファスナーであることを特徴とする固定装具。
【手続補正２】
【補正対象書類名】明細書
【補正対象項目名】０００５
【補正方法】変更
【補正の内容】
【０００５】骨折等患部の固定装具であって、患部を固定するギプス材と、そのギプス材の位置を保持するサポーターとを含み、前記サポーターは、サポーター本体部と、サポーター本体部を人体に固定する固定部からなり、該本体部と該固定部の間にギプス材を配置し組合せたことを特徴とする固定装具。